(57)【要約】【課題】少ない使用水でスカムを効率よく移動できるようにする。【解決手段】スカムの移動方向に沿って所定の間隔を保ってスプレーノズルを配置し、それらスプレーノズルからの噴出水流によりスカムに移動力を付与するスカム処理装置において、前記スプレーノズルの駆動を、スカムの移動方向下流側に位置するスプレーノズルから順に行われるように制御する制御手段を設けたことを特徴とする。【選択図】　　　図１
2004136244.tif 000002
【特許請求の範囲】
【請求項１】
スカムの移動方向に沿って所定の間隔を保ってスプレーノズルを配置し、それらスプレーノズルからの噴出水流によりスカムに移動力を付与するスカム処理装置において、
前記スプレーノズルの駆動を、スカムの移動方向下流側に位置するスプレーノズルから順に行われるように制御する制御手段を設けたことを特徴とするスカム処理装置。
【請求項２】
請求項１に記載のスカム処理装置において、スカム移動方向下流側に位置するスプレーノズルの駆動時間は、スカム移動方向上流側に位置するスプレーノズルの駆動時間よりも長く設定することを特徴とするスカム処理装置。
【発明の詳細な説明】
【０００１】
【発明の属する技術分野】
本発明は、下水処理場の導水渠や沈殿池等の水処理施設で発生するスカムを効率よく移動させることのできるスカム処理装置に関する。
【０００２】
【従来の技術】
本出願人は、先に、特開２００２−１４３８４３号公報において、下水処理場の導水渠や沈殿池で発生するスカムを所定のスカムピットへ効率よく移動できるようにしたスプレーノズルを提案している。この提案に係るスプレーノズルは、パイプ状本体と、そのパイプ状本体に固定され、そのパイプ状本体の軸線と交叉するように延出する案内板とを備え、上記案内板との接合部において上記パイプ状本体の側壁は、案内板の延出方向に開口する切欠部を形成して構成されている。このスプレーノズルは、切欠部から噴出する水流によりスカムをスカムピット側へ効率よく移動させることができる特長がある。
【０００３】
【発明が解決しようとする課題】
ところで、上記提案に係るスプレーノズルは、通常、スカムの移動方向に沿って所定の間隔を保って複数個設けられる。したがって、スプレーノズルの数が多くなるとその分だけ使用水量が多くなるという欠点があるとともに、使用水量が多くなると、その後の水処理施設の負荷が大きくなるという欠点が生じてしまう。
【０００４】
そこで、本発明は、上記欠点を解決するためになされたものであって、その目的は、少ない使用水量であってもスカムを効率よく移動できるようにしたスカム処理装置を提供することにある。
【０００５】
【課題を解決するための手段】
本発明に係るスカム処理装置は、上記目的を達成するために、請求項１に記載の発明は、スカムの移動方向に沿って所定の間隔を保ってスプレーノズルを配置し、それらスプレーノズルからの噴出水流によりスカムに移動力を付与するスカム処理装置において、前記スプレーノズルの駆動を、スカムの移動方向下流側に位置するスプレーノズルから順に行われるように制御する制御手段を設けたことを特徴としている。
本発明の請求項２に記載のスカム処理装置は、スカム移動方向下流側に位置するスプレーノズルの駆動時間は、スカム移動方向上流側に位置するスプレーノズルの駆動時間よりも長く設定することを特徴としている。
【０００６】
【発明の実施の形態】
以下、本発明の実施の形態を図面に基づいて説明する。図１は、本発明のスカム処理装置を下水処理場の導水渠に適用したときの平面図である。
【０００７】
この導水渠１は、所定の幅を有する水路から形成されていて、その一端側（図１において右端側）から原水（下水）が供給されるように構成されているとともに、その他端側には、スカムピット２が設けられている。このスカムピット２は、溢流壁上端部が所定時間毎に水面下となるような周知のスカムピットから構成されている。スカムピット２内に流入したスカムは、図示しないスカム処理機に送出され、そこで脱水処理などの所定の処理が行われる。
【０００８】
導水渠１の一端側に供給された原水は、その下端側に移動する途中、その導水渠１に設けられた図示しないバルブを介して複数（図示の例では４個）の沈殿池（図示せず）へ分配されるように構成されている。
【０００９】
図１中、１０ａ，１０ｂ，１０ｃは、スプレーノズル群であり、導水渠１の長手方向に沿って、つまりスカムの移動方向に沿って所定の間隔を保って配置されている。ここに示されるスプレーノズル群は、３個であるが、２個又は４個以上であってもよく、導水渠１の長さ及び原水に含まれるスカムの性状等によって適宜決められる。
【００１０】
各スプレーノズル群１０ａ，１０ｂ，１０ｃは、同一構成であるので、スプレーノズル群１０ａを例に説明すると、このスプレーノズル群１０ａは、複数（図示の例では５個）のスプレーノズルＳ，Ｓ…を有している。これらスプレーノズルＳ，Ｓ…は、本出願人が先に特開２００２−１４３８４３号で提案しているものであるから、その詳細な説明は省略するが、スカムの上面に近い上方に位置し、噴出水流方向がスカムピット２側となるように設けられている。そして、これらスプレーノズルＳ，Ｓ…は、１本の供給管１１ａにそれぞれ接続され、また、その供給管１１ａは、自動的に開閉制御されるバルブ（自動弁）Ｖ１　を介してヘッダー管１２に接続されている。なお、図示の例では、供給管１１ａに５個のスプレーノズルＳ，Ｓ…を接続してスプレーノズル群を形成しているが、６個以上であってもよい。また、１個から４個のいずれともすることができる。スプレーノズルＳの設置個数は、導水渠１の幅やスカムの性状等により適宜決められる。
【００１１】
図１中、Ｐは、上記ヘッダー管１２に水を供給するポンプであり、そのポンプＰに供給される（ポンプＰが吸引する）水は、沈殿池の処理水等の他の場所から得られるものでもよいが、導水渠１の中間水（スカム面よりも下で、導水渠１の底よりも上に位置する水）とすることができる。導水渠１内の水を用いたときは、沈殿池等のその後の水処理施設の負荷に影響を与えない特長がある。
【００１２】
図１中、Ｃは、本発明の制御手段を担うもので、プログラマブルコントローラを中心に形成された制御器であり、バルブＶ１　，Ｖ２　，Ｖ３　を開閉制御するとともに、ポンプＰのＯＮ，ＯＦＦ制御ができるように構成されている。
【００１３】
以下、図２のタイムフローチャートを用いて制御動作について説明する。今。、スカムを排出する時刻が到来したとする。このスカム排出時刻が到来すると、ポンプＰが駆動を開始するとともに、スカムピット２は、スカムを受け入れられる態勢とされる。すなわち、スカムピット２が溢流壁上端が降下してスカムを受け入れるタイプのときは、その溢流壁上端の降下が行われる。なお、スカムの排出を常時行うように運転されているときは、ポンプＰは、常時駆動され、また、スカムピット２も、常時、スカム受入れ態勢に置かれる。
【００１４】
ポンプＰが駆動され、ヘッダー管１２に水が供給されると、バルブＶ１　→Ｖ２　→Ｖ３　→Ｖ１　→Ｖ２　…の順に順次開かれる。この場合、スカムピット２側、すなわちスカムの移動方向下流側のバルブＶ１　が他のバルブＶ２　，Ｖ３　よりも長い時間、開とされる（図２の▲１▼参照）。例えば、バルブＶ１　の開時間が２分で、他のバルブＶ２　，Ｖ３　が１分とされる。または、図２▲２▼に示されるように、スカムの移動方向上流側から下流側に向けて徐々に長くなるように開制御される。例えば、バルブＶ１　が３分、バルブＶ２　が２分そしてバルブＶ３　が１分とされる。
【００１５】
上述のように、スカムピット２側のスプレーノズル群１０ａが他のスプレーノズル群１０ｂ，１０ｃよりも長く駆動されると、スカムピット２側のスカムがスカムピット２に排出されて空となり、上流側のスカムがスカムピット２側に移動しやすくなる効果が得られる。また、スプレーノズル群１０ａ，１０ｂ，１０ｃが、順次、開とされるので、使用水量が少なくてすみ、したがってポンプＰの容量が小さくてすむという特長を得ることができる。
【００１６】
なお、上述の例では、スカム処理装置を下水処理場の導水渠に適用した例を示したが、沈殿池に適用してもよく、他の水処理施設に適用してもよいことはもちろんである。
【００１７】
【発明の効果】
本発明の請求項１に記載の発明は、スプレーノズルの駆動を、スカムの移動方向下流側に位置するスプレーノズルから順に行われるように制御する制御手段を設けたので、スカムの移動を少ない使用水で効率よく行うことができる。
本発明の請求項２に記載の発明は、スカム移動方向下流側に位置するスプレーノズルの駆動時間をスカム移動方向上流側に位置するスプレーノズルの駆動時間よりも長く設定したので、スカムの移動をより効率よく行うことができる。
【図面の簡単な説明】
【図１】本発明に係るスカム処理装置を下水処理場の導水渠に適用したときの概略構成を示す平面図である。
【図２】制御動作を示すタイムチャートである。
【符号の説明】
１　　　導水渠
２　　　スカムピット
１０ａ〜１０ｃ　　　スプレーノズル群
１１ａ〜１１ｃ　　　供給管
１２　　　ヘッダー管
Ｓ　　　スプレーノズル
Ｖ１　〜Ｖ３　　　　バルブ
Ｐ　　　ポンプ
Ｃ　　　制御器（制御手段）
【図１】
2004136244.tif 000003
【図２】
2004136244.tif 000004